【手続補正書】
【提出日】令和3年4月15日(2021.4.15)
【手続補正１】
【補正対象書類名】明細書
【補正対象項目名】００１４
【補正方法】変更
【補正の内容】
【００１４】
（２）ＬＬＤＰＥ（線状低密度ポリエチレン）である１．０ｇ／１０ｍｉｎのメルトインデックス及び０．９１６ｇ／ｃｃの密度を有するエチレン／オクテン−１コポリマー（“Ｅｌｉｔｅ  ５４００Ｇ”）のコア層。コア層は、単層又は多層、例えば２〜８層であってよい。
【手続補正２】
【補正対象書類名】明細書
【補正対象項目名】００１５
【補正方法】変更
【補正の内容】
【００１５】
あるいは、コア層は、３０〜１００重量％の、ＬＬＤＰＥである１．０ｇ／１０ｍｉｎのメルトインデックス及び０．９１６ｇ／ｃｃの密度を有するエチレン／オクテン−１コポリマー（“Ｅｌｉｔｅ  ５４００Ｇ”）及び７０〜０重量％の、ＬＬＤＰＥである１．０ｇ／１０ｍｉｎのメルトインデックス及び０．９１８ｇ／ｃｃの密度を有するエチレン／ブテンコポリマーを含み得る。好ましくは、コポリマーは４０／６０の重量比であり得る。
【手続補正３】
【補正対象書類名】明細書
【補正対象項目名】００１６
【補正方法】変更
【補正の内容】
【００１６】
さらなる別のコア層は、３０〜１００重量％の、ＬＬＤＰＥである１．０ｇ／１０ｍｉｎのメルトインデックス及び０．９１６ｇ／ｃｃの密度を有するエチレン／ヘキセン−１コポリマー（“Ｅｌｉｔｅ  ５４００Ｇ”）と、７０〜０重量％の、ＬＬＤＰＥである１．０ｇ／１０ｍｉｎのメルトインデックス及び０．９１８ｇ／ｃｃの密度を有するエチレン／ヘキセンコポリマー（ＤＦＤＣ  ７０８７）を含み得る。好ましくは、コポリマーは４０／６０の重量比であり得る。
【手続補正４】
【補正対象書類名】明細書
【補正対象項目名】００２０
【補正方法】変更
【補正の内容】
【００２０】
（３）ＬＬＤＰＥである１．０ｇ／１０ｍｉｎのメルトインデックス及び０．９１６ｇ／ｃｃの密度を有するエチレン／オクテン−１コポリマー（“Ｅｌｉｔｅ  ５４００Ｇ”）のコア層。
【手続補正５】
【補正対象書類名】明細書
【補正対象項目名】００２１
【補正方法】変更
【補正の内容】
【００２１】
あるいは、コア層は、３０〜１００重量％の、ＬＬＤＰＥである１．０ｇ／１０ｍｉｎのメルトインデックス及び０．９１６ｇ／ｃｃの密度を有するエチレン／オクテン−１コポリマー（“Ｅｌｉｔｅ  ５４００Ｇ”）と、７０〜０重量％のＬＬＤＰＥである１．０ｇ／１０ｍｉｎのメルトインデックス及び０．９１８ｇ／ｃｃの密度を有するエチレン／ブテンコポリマー（ＤＦＤＣ  ７０８７）とを含み得る。好ましくは、コポリマーは４０／６０の重量比であり得る。
【手続補正６】
【補正対象書類名】明細書
【補正対象項目名】００２２
【補正方法】変更
【補正の内容】
【００２２】
さらなる別のコア層は、３０〜１００重量％の、ＬＬＤＰＥである１．０ｇ／１０ｍｉｎのメルトインデックス及び０．９１６ｇ／ｃｃの密度を有するエチレン／ヘキセン−１コポリマー（“Ｅｌｉｔｅ  ５４００Ｇ”）と、７０〜０重量％の、ＬＬＤＰＥである１．０ｇ／１０ｍｉｎのメルトインデックス及び０．９１８ｇ／ｃｃの密度を有するエチレン／ヘキセンコポリマー（ＤＦＤＣ  ７０８７）とを含み得る。好ましくは、コポリマーは４０／６０の重量比であり得る。
【手続補正７】
【補正対象書類名】明細書
【補正対象項目名】００３５
【補正方法】変更
【補正の内容】
【００３５】
一実施形態において、多層フィルムは、５つの層（図１）、すなわち、好ましいエチレン／α−オレフィンインターポリマーの第一外側シーラント層及び内側シーラント層（５）、好ましいエチレン／α−オレフィンインターポリマーの第二の介在層（２）並びにＬＬＤＰＥである１．０ｇ／１０ｍｉｎのメルトインデックス及び０．９１６ｇ／ｃｃの密度を有するエチレン／オクテン−１コポリマー（“Ｅｌｉｔｅ  ５４００Ｇ”）及びＬＬＤＰＥである１．０ｇ／１０ｍｉｎのメルトインデックス及び０．９１８ｇ／ｃｃの密度を有するエチレンブタンコポリマー（ＤＦＤＣ  ７０８７）のコア層である第三の層（３）を備える。コア層は、単層又は少なくとも３つ以上の層の多層であってもよく、第四の層（４）は第二の層と同じ組成のもう一つの介在層であり、及び第五の層（５）は上述の内側シーラント層である。第一の外側シーラント層及び第五のシーラント層は、各々、多層フィルムの厚さの約１０〜３０％を構成する。中間層（第二及び第四の層）は多層フィルムの厚さの約５〜２０％を構成し、コア層は、多層フィルムの厚さの約３０〜５０％を構成する。多層フィルムの全層は、約１〜５ミルの厚さであり、好ましくは１〜２．５ミルの厚さであり、さらに好ましくは１〜２．０ミルの厚さである。
【手続補正８】
【補正対象書類名】明細書
【補正対象項目名】００３９
【補正方法】変更
【補正の内容】
【００３９】
本発明に関して、シーリング層及び前記少なくとも１つの外側の層の各々の厚さは、多層フィルムの合計厚さの約１％〜約２０％である。本発明の他の実施形態において、シーラント層の組み合わされた厚さの合計は、多層フィルムの合計厚さの約１１％、約１２％、約１３％、約１４％、約１５％、約１６％、約１７％、約１８％、約１９％、約２０％であり得る。シーリング層の組み合わせられた合計厚さは、上述のパーセンテージの間の中間のパーセンテージであってもよく、例えば、記載された他のパーセンテージの間の約１１．１％、１１．２％、１１．３％、１１．４％などである組み合わされた合計厚さであってもよい。
【手続補正９】
【補正対象書類名】明細書
【補正対象項目名】００４１
【補正方法】変更
【補正の内容】
【００４１】
多層フィルムは、１つの第一の介在層又は複数の第一の介在層を備える。例えば、多層フィルムは互いに隣接して積み重ねられた、２、３、又は４つの介在層を有し得る。同様に、多層フィルムは１つの第二の介在層又は複数の第二の介在層を備える。
【手続補正１０】
【補正対象書類名】明細書
【補正対象項目名】００４６
【補正方法】変更
【補正の内容】
【００４６】
コア層
多層フィルムは、１つの側の第一の少なくとも１つの介在層及び反対側の第二の少なくとも１つの介在層に隣接する少なくとも１つのコア層を備える。介在層が多層フィルムにおいて用いられない場合、コア層はシーラント層に隣接する。コア層は、約０〜１００重量％若しくは好ましくは約３０〜７０重量％若しくはさらに好ましくは３０〜５０重量％の、線状低密度ポリエチレン（ＬＬＤＰＥ）である約０．９１０〜０．９２０ｇ／ｃｃの密度及び約０．８〜１．２ｇ／１０ｍｉｎのメルトインデックスを有するエチレン／オクテン−１コポリマー、及び０〜１００重量％の線状低密度ブテンポリエチレン（ＬＬＤＰＥ）若しくは約０．９１８〜０．９３０ｇ／ｃｃの密度及び約０．８〜１．２ｇ／１０ｍｉｎのメルトインデックスを有する低密度ヘキセンポリエチレン、又は好ましくは７０〜３０重量％若しくはさらに好ましくは５０〜７０重量％の線状低密度ブテンポリエチレン若しくは線状低密度ヘキセンポリエチレンのポリマー若しくはポリマーブレンドを含む。さらに好ましくは、コア層のポリマーブレンドは、約３５〜４５重量％の、約０．９１４〜０．９１８ｇ／ｃｃの密度及び約０．９〜１．１ｇ／１０ｍｉｎのメルトインデックスを有する線状低密度ポリエチレン（ＬＬＤＰＥ）と、５５〜６５重量％の、約０．９１８〜０．９２０の密度及び約０．９〜１．１ｇ／１０ｍｉｎのメルトインデックスを有する線状低密度ブテンポリエチレン（ＬＬＤＰＥ）とのブレンドを含む。製品及び製品が保存される条件に応じて、コア層は１００重量％までの好ましいエチレン／α−オレフィンインターポリマーを含み得る。インターポリマーのパーセンテージは、多層フィルムに必要な特性に応じて５、１０、２０、３０、４０、５０、６０、７０、８０及び９０％及びその間の任意の量で変わり得る。
【手続補正１１】
【補正対象書類名】明細書
【補正対象項目名】００６６
【補正方法】変更
【補正の内容】
【００６６】
基準構造は、３７重量％の（Ｄｏｗ「Ｅｌｉｔｅ」５４００  Ｇ）、ＬＬＤＰＥ、エチレンオクテンコポリマー、６０％の（ＤＦＤＣ  ７０８７）ＬＬＤＰＥ、エチレン／ブテンコポリマー及び１．５％のＡｍｐａｃｅｔスリップ剤ＬＤＰＥ担体樹脂及び抗ブロックスリップ剤を含む７つの多層の単層構造の厚さ２．２ミルを有する工業基準である。
【手続補正１２】
【補正対象書類名】明細書
【補正対象項目名】００６８
【補正方法】変更
【補正の内容】
【００６８】
（１）９７重量％の０．８５ｇ／１０ｍｉｎのメルトインデックス及び０．９１５ｇ／ｃｃの密度を有する好ましいエチレン／α−オレフィンインターポリマー（Ｄｏｗ「Ｉｎｎａｔｅ」ＸＵＳ  ５９９１０．０４）と、１．５重量％のＡｍｐａｃｅｔ  １００９０スリップ剤と、１．５重量％のＡｍｐａｃｅｔ抗ブロック剤とを含む外側及び内側シーラント層
【手続補正１３】
【補正対象書類名】明細書
【補正対象項目名】００７０
【補正方法】変更
【補正の内容】
【００７０】
多層フィルム構造４は、１．８ミルの厚さを有し、以下のものを備える。
【手続補正１４】
【補正対象書類名】明細書
【補正対象項目名】００７１
【補正方法】変更
【補正の内容】
【００７１】
（１）９７重量％の好ましいエチレン／α−オレフィンインターポリマー（Ｄｏｗ「Ｉｎｎａｔｅ」ＸＵＳ  ５９９１０．０４）及び１．５重量％のＡｍｐａｃｅｔ  １００９０スリップ剤及び１．５重量％の抗ブロック剤を含む内側及び外側シーラント層並びに
【手続補正１５】
【補正対象書類名】明細書
【補正対象項目名】００７２
【補正方法】変更
【補正の内容】
【００７２】
（２）３８．５重量％のＬＬＤＰＥであるエチレン／オクテン−１コポリマー（「Ｅｌｉｔｅ」５４００Ｇ）と、６０．０重量％のＬＬＤＰＥである１．０ｇ／１０ｍｉｎのメルトインデックス及び０．９１８ｇ／ｃｃの密度を有するエチレン／ブテンコポリマー（ＤＦＤＰ  ７０８７）と、１．５重量％のＡｍｐａｃｅｔ  １００９０スリップ剤とを含む５層のコア層。
【手続補正１６】
【補正対象書類名】明細書
【補正対象項目名】００７３
【補正方法】変更
【補正の内容】
【００７３】
多層フィルム構造９は、１．８ミルの厚さを有し、以下のものを備える。
【手続補正１７】
【補正対象書類名】明細書
【補正対象項目名】００７５
【補正方法】変更
【補正の内容】
【００７５】
（２）９８．５％の好ましいエチレン／α−オレフィンインターポリマー（Ｄｏｗ「Ｉｎｎａｔｅ」ＸＵＳ  ５９９１０．０４）及び１．５重量％のＡｍｐａｃｅｔ  １００９０スリップ剤を含む介在層；及び
【手続補正１８】
【補正対象書類名】明細書
【補正対象項目名】００７６
【補正方法】変更
【補正の内容】
【００７６】
（３）３８．５重量％のＬＬＤＰＥである１．０ｇ／１０ｍｉｎのメルトインデックス及び０．９１６ｇ／ｃｃの密度を有するエチレン／オクテン−１コポリマー（“Ｅｌｉｔｅ  ５４００Ｇ”）と、６０．０重量％のＬＬＤＰＥである１．０ｇ／１０ｍｉｎのメルトインデックス及び０．９１８ｇ／ｃｃの密度を有するエチレンブテンコポリマー（ＤＦＤＣ  ７０８７）と、１．５重量％のＡｍｐａｃｅｎｔ  １００９０スリップ剤とを含む３層のコア層。
【手続補正１９】
【補正対象書類名】特許請求の範囲
【補正対象項目名】全文
【補正方法】変更
【補正の内容】
【特許請求の範囲】
【請求項１】
流動性物質を収容するパウチを作製するための多層フィルムであって、液体をパッケージングするために以下の層：
（Ａ）少なくとも１つの外側シーラント層及び少なくとも１つの内側シーラント層であって、各層は、５０〜７５重量％の、０．８９４〜０．９０８ｇ／ｃｃの範囲内の密度及び０．２〜１ｇ／１０ｍｉｎの範囲内のメルトインデックスを有する第一のエチレン／α−オレフィンコポリマーフラクションと、２５〜５０重量パーセントの第二のエチレン／α−オレフィンコポリマーフラクションとを含むエチレン／α−オレフィンインターポリマー組成物を含み、前記インターポリマー組成物は、０．９１０〜０．９２４ｇ／ｃｃの範囲内の密度、０．５〜２ｇ／１０ｍｉｎの範囲内のメルトインデックス；１．１５〜２．５の範囲内のゼロせん断粘度比（ＺＳＶＲ）；重量平均分子量の比（Ｍｗ／Ｍｎ）で表して、２．０〜４．０の範囲内の分子量分布を有する、少なくとも１つの外側シーラント層及び少なくとも１つの内側シーラント層と、
（Ｂ）
（１）線状低密度ポリエチレンである１．０ｇ／１０ｍｉｎのメルトインデックス及び０．９１６ｇ／ｃｃの密度を有するエチレン／オクテン−１コポリマーを含むコア層；
（２）３０〜１００重量％の、線状低密度ポリエチレンである１．０ｇ／１０ｍｉｎのメルトインデックス及び０．９１６ｇ／ｃｃの密度を有するエチレン／オクテン−１コポリマーと、７０〜０％の１．０ｇ／１０ｍｉｎのメルトインデックス及び０．９１８ｇ／ｃｃの密度を有するエチレン／ブテンコポリマーを含むコア層；及び
（３）３０〜１００重量％の、線状低密度ポリエチレンである１．０ｇ／１０ｍｉｎのメルトインデックス及び０．９１６ｇ／ｃｃの密度を有するエチレン／ヘキセン−１コポリマーと、７０〜０重量％の、１．０ｇ／１０ｍｉｎのメルトインデックス及び０．９１８ｇ／ｃｃの密度を有する線状低密度エチレン／ヘキセンコポリマーとを含むコア層
からなる群から選択される少なくとも１つのコア層と、
を、少なくとも１つの内側シーラント層から少なくとも１つのコア層へ、そして少なくとも１つの外側シーラント層への順で含む、多層フィルム。
【請求項２】
前記少なくとも１つの外側シーラント層、前記少なくとも１つの内側シーラント層及び前記コア層が、個々に、１〜８個の層を備える、請求項１に記載の多層フィルム。
【請求項３】
前記エチレン／α−オレフィンインターポリマー組成物が、線状低密度ポリエチレンのポリマーフラクションと、エチレン／オクテン−１コポリマーの第二のコポリマーフラクションと、を含み、前記インターポリマー組成物が０．９１５ｇ／ｃｃの密度及び０．８５ｇ／１０ｍｉｎのメルトインデックスを有する、請求項２に記載の多層フィルム。
【請求項４】
前記少なくとも１つのコア層が、線状低密度ポリエチレンである１．０ｇ／１０ｍｉｎのメルトインデックス及び０．９１６ｇ／ｃｃの密度を有するエチレン／オクテン−１コポリマーを含む、請求項３に記載の多層フィルム。
【請求項５】
前記少なくとも１つのコア層が、３０〜１００重量％の、１．０ｇ／１０ｍｉｎのメルトインデックス及び０．９１６ｇ／ｃｃの密度を有するエチレン／オクテン−１コポリマーと、７０〜０重量％の、１．０ｇ／１０ｍｉｎのメルトインデックス及び０．９１８ｇ／ｃｃの密度を有するエチレン／ブテンコポリマーとを含み、前記コポリマーが４０／６０の重量比である、請求項３に記載の多層フィルム。
【請求項６】
少なくとも１つのコア層が、３０〜１００重量％の、１．０ｇ／１０ｍｉｎのメルトインデックス及び０．９１６ｇ／ｃｃの密度を有するエチレン／ヘキセン−１コポリマーと、７０〜０重量％の、１．０ｇ／１０ｍｉｎのメルトインデックス及び０．９１８ｇ／ｃｃの密度を有するエチレン／ヘキセンコポリマーとを含み、前記コポリマーが４０／６０の重量比である、請求項３に記載の多層フィルム。
【請求項７】
流動性物質を収容するパウチを作製するための多層フィルムであって、
液体をパッケージングするために以下の層：
（Ａ）少なくとも１つの外側シーラント層及び少なくとも１つの内側シーラント層であって、各層が、超低密度ポリエチレンである０．８５ｇ／１０ｍｉｎのメルトインデックス及び０．９１２ｇ／ｃｃの密度を有するエチレン／オクテン−１コポリマーと、線状低密度ポリエチレンである０．８５ｇ／１０ｍｉｎのメルトインデックス及び０．９２０ｇ／ｃｃの密度を有するエチレン／オクテン−１コポリマーを含むエチレン／α−オレフィンインターポリマー組成物とを含む、少なくとも１つの外側シーラント層及び少なくとも１つの内側シーラント層と；
（Ｂ）少なくとも１つのコア層と少なくとも１つの外側シーラント層との間に位置する少なくとも１つの介在層及び少なくとも１つのコア層と第二の外側シーラント層との間の少なくとも１つの第二の介在層であって、前記介在層は、５０〜７５重量％の、０．８９４〜０．９０８ｇ／ｃｃの範囲内の密度及び０．２〜１ｇ／１０ｍｉｎの範囲内のメルトインデックスを有する第一のエチレン／α−オレフィンコポリマーフラクションと、２５〜５０重量パーセントの、第二のエチレン／α−オレフィンコポリマーフラクションとを含むエチレン／α−オレフィンインターポリマー組成物を含み、前記インターポリマー組成物は０．９１０〜０．９２４ｇ／ｃｃの範囲内の密度及び０．５〜２ｇ／１０ｍｉｎの範囲内のメルトインデックス；１．１５〜２．５の範囲内のゼロせん断粘度比（ＺＳＶＲ）；重量平均分子量の比（Ｍｗ／Ｍｎ）で表して、２．０〜４．０の範囲内の分子量分布を有する、少なくとも１つの介在層及び少なくとも１つの第二の介在層；
（Ｃ）
（１）線状低密度ポリエチレンである１．０ｇ／１０ｍｉｎのメルトインデックス及び０．９１６ｇ／ｃｃの密度を有するエチレン／オクテン−１コポリマーを含むコア層；
（２）３０〜１００重量％の線状低密度ポリエチレンである１．０ｇ／１０ｍｉｎのメルトインデックス及び０．９１６ｇ／ｃｃの密度を有するエチレン／オクテン−１コポリマーと、７０〜０重量％の、１．０ｇ／１０ｍｉｎのメルトインデックス及び０．９１８ｇ／ｃｃの密度を有するエチレン／ブテンコポリマーとを含むコア層；及び
（３）３０〜１００重量％の線状低密度ポリエチレンである１．０ｇ／１０ｍｉｎのメルトインデックス及び０．９１６ｇ／ｃｃの密度を有するエチレン／ヘキセン−１コポリマーと、７０〜０重量％の線状低密度ポリエチレンである１．０ｇ／１０ｍｉｎのメルトインデックス及び０．９１８ｇ／ｃｃの密度を有するエチレン／ヘキセンコポリマーとを含むコア層
からなる群から選択される少なくとも１つのコア層と
を、少なくとも１つの内側シーラント層から少なくとも１つの介在層へ、少なくとも１つのコア層へ、第二の介在層へ、そして外側シーラント層への順で含む、多層フィルム。
【請求項８】
前記少なくとも１つの外側シーラント層、前記少なくとも１つの内側シーラント層、前記コア層及び前記シーラント層と前記コア層との間の前記介在層が、個々に、１〜８個の層を備える、請求項７に記載の多層フィルム。
【請求項９】
前記少なくとも１つのコア層が、３０〜１００重量%の、線状低密度ポリエチレンである１．０ｇ／１０ｍｉｎのメルトインデックス及び０．９１６ｇ／ｃｃの密度を有するエチレン／オクテン−１コポリマーと、７０〜０重量％の、１．０ｇ／１０ｍｉｎのメルトインデックス及び０．９１８ｇ／ｃｃの密度を有するエチレン／ブテンコポリマーとを４０／６０の重量比で含む、請求項７に記載の多層フィルム。
【請求項１０】
前記少なくとも１つのコア層が、３０〜１００重量%の、線状低密度ポリエチレンである１．０ｇ／１０ｍｉｎのメルトインデックス及び０．９１６ｇ／ｃｃの密度を有するエチレン／ヘキセン−１コポリマーと、７０〜０重量%の、線状低密度ポリエチレンである１．０ｇ／１０ｍｉｎのメルトインデックス及び０．９１８ｇ／ｃｃの密度を有するエチレン／ヘキセンコポリマーとを、４０／６０の重量比で含む、請求項７に記載の多層フィルム。
【請求項１１】
請求項１に記載の多層フィルムから形成された、流動性液体を収容するためのバッグ。
【請求項１２】
前記流動性物質が冷蔵された乳製品である、請求項１１に記載のバッグ。
【請求項１３】
請求項７に記載の多層フィルムから形成された、流動性液体を収容するためのバッグ。
【請求項１４】
前記流動性物質が冷蔵された乳製品である、請求項１３に記載のバッグ。
【請求項１５】
バッグに流動性製品を充填するプロセスであって、前記バッグが請求項１に記載の多層フィルムから形成される、プロセス。
【請求項１６】
バッグに流動性製品を充填するプロセスであって、前記バッグが請求項７に記載の多層フィルムから形成される、プロセス。